(57)【要約】【課題】複数の基地局のそれぞれによる配信結果を容易に把握できる技術が望まれていた。【解決手段】緊急速報メールを識別する識別情報を選択する識別情報選択部と、識別情報によって識別される緊急速報メールを配信すべき基地局を特定する基地局特定部と、基地局特定部によって特定された基地局による緊急速報メールの配信結果を取得する配信結果取得部と、緊急速報メールの配信が成功した基地局と、緊急速報メールの配信が失敗した基地局とを異なる表示形式で地図上に表示させる表示制御部とを備える表示制御装置を提供する。【選択図】図７
2017152802.tif 000002
【特許請求の範囲】
【請求項１】
緊急速報メールを識別する識別情報を選択する識別情報選択部と、
前記識別情報によって識別される緊急速報メールを配信すべき基地局を特定する基地局特定部と、
前記基地局特定部によって特定された基地局による前記緊急速報メールの配信結果を取得する配信結果取得部と、
前記緊急速報メールの配信が成功した基地局と、前記緊急速報メールの配信が失敗した基地局とを異なる表示形式で地図上に表示させる表示制御部と
を備える表示制御装置。
【請求項２】
前記表示制御部は、前記基地局が生成する１又は複数のセルのうちすべてのセルについて配信が成功した基地局と、前記１又は複数のセルのうちすべてのセルについて配信が失敗した基地局と、前記１又は複数のセルのうち一部のセルについて配信が失敗した基地局とを異なる表示形式で前記地図上に表示させる、請求項１に記載の表示制御装置。
【請求項３】
前記基地局特定部によって特定された基地局の位置情報を取得する位置情報取得部
をさらに備え、
前記表示制御部は、前記基地局を表すオブジェクトを、前記地図上における前記基地局の前記位置情報が示す位置に配置して表示させる、請求項１又は２に記載の表示制御装置。
【請求項４】
前記表示制御部は、表示領域内に前記地図を拡大及び縮小可能に表示させ、
前記表示制御部は、前記地図の前記表示領域内に表示されている範囲内に位置する前記基地局を表すオブジェクトを前記地図上に配置して表示させる、請求項３に記載の表示制御装置。
【請求項５】
前記表示制御部は、前記基地局特定部によって特定された前記基地局のうち、前記地図の前記表示領域内に表示されている範囲内に位置する前記基地局の数が予め定められた数よりも多い場合、前記オブジェクトは表示させずに、前記地図の前記表示領域に表示されている範囲内に位置する前記基地局のうち、前記緊急速報メールの配信が成功した基地局の数と、前記緊急速報メールの配信が失敗した基地局の数とを表示させる、請求項４に記載の表示制御装置。
【請求項６】
前記配信結果取得部は、前記緊急速報メールの配信が失敗した理由を示す理由値を取得し、
前記表示制御装置は、
複数の種類の理由値から少なくとも１つの理由値を選択する理由値選択部
をさらに備え、
前記表示制御部は、前記理由値選択部によって少なくとも１つの理由値が選択された場合、前記基地局特定部によって特定された基地局のうち、前記理由値選択部によって選択された理由値が示す理由によって前記緊急速報メールの配信に失敗した基地局のみを前記地図上に表示させる、請求項１から５のいずれか一項に記載の表示制御装置。
【請求項７】
基地局の種別を選択する種別選択部
をさらに備え、
前記表示制御部は、前記種別選択部によって前記基地局の種別が選択された場合、前記基地局特定部によって特定された基地局のうち、選択された前記基地局の種別に対応する前記基地局のみを前記地図上に表示させる、請求項１から６のいずれか一項に記載の表示制御装置。
【請求項８】
前記識別情報によって識別される前記緊急速報メールを配信すべき地域を特定する地域特定部
をさらに備え、
前記表示制御部は、前記地域特定部によって特定された地域を、前記地域特定部によって特定されていない地域と識別して表示させる、請求項１から７のいずれか一項に記載の表示制御装置。
【請求項９】
コンピュータを、請求項１から８のいずれか一項に記載の表示制御装置として機能させるためのプログラム。
【発明の詳細な説明】
【技術分野】
【０００１】
本発明は、表示制御装置及びプログラムに関する。
【背景技術】
【０００２】
災害の発生を通知する緊急速報メールを複数の基地局を介して無線通信端末に配信する配信システムが知られていた（例えば、特許文献１参照）。
［先行技術文献］
［特許文献］
［特許文献１］特開２００９−２６０５２８号公報
【発明の概要】
【発明が解決しようとする課題】
【０００３】
複数の基地局のそれぞれによる配信結果を容易に把握できる技術が望まれていた。
【課題を解決するための手段】
【０００４】
本発明の第１の態様によれば、緊急速報メールを識別する識別情報を選択する識別情報選択部と、識別情報によって識別される緊急速報メールを配信すべき基地局を特定する基地局特定部と、基地局特定部によって特定された基地局による緊急速報メールの配信結果を取得する配信結果取得部と、緊急速報メールの配信が成功した基地局と、緊急速報メールの配信が失敗した基地局とを異なる表示形式で地図上に表示させる表示制御部とを備える表示制御装置が提供される。
【０００５】
上記表示制御部は、上記基地局が生成する１又は複数のセルのうちすべてのセルについて配信が成功した基地局と、上記１又は複数のセルのうちすべてのセルについて配信が失敗した基地局と、上記１又は複数のセルのうち一部のセルについて配信が失敗した基地局とを異なる表示形式で上記地図上に表示させてよい。上記表示制御装置は、上記基地局特定部によって特定された基地局の位置情報を取得する位置情報取得部をさらに備えてよく、上記表示制御部は、上記基地局を表すオブジェクトを、上記地図上における上記基地局の上記位置情報が示す位置に配置して表示させてよい。上記表示制御部は、表示領域内に上記地図を拡大及び縮小可能に表示させてよく、上記表示制御部は、上記地図の上記表示領域内に表示されている範囲内に位置する上記基地局を表すオブジェクトを上記地図上に配置して表示させてよい。上記表示制御部は、上記基地局特定部によって特定された上記基地局のうち、上記地図の上記表示領域内に表示されている範囲内に位置する上記基地局の数が予め定められた数よりも多い場合、上記オブジェクトは表示させずに、上記地図の上記表示領域に表示されている範囲内に位置する上記基地局のうち、上記緊急速報メールの配信が成功した基地局の数と、上記緊急速報メールの配信が失敗した基地局の数とを表示させてよい。
【０００６】
上記配信結果取得部は、上記緊急速報メールの配信が失敗した理由を示す理由値を取得してよく、上記表示制御装置は、複数の種類の理由値から少なくとも１つの理由値を選択する理由値選択部をさらに備えてよく、上記表示制御部は、上記理由値選択部によって少なくとも１つの理由値が選択された場合、上記基地局特定部によって特定された基地局のうち、上記理由値選択部によって選択された理由値が示す理由によって上記緊急速報メールの配信に失敗した基地局のみを上記地図上に表示させてよい。上記表示制御装置は、基地局の種別を選択する種別選択部をさらに備えてよく、上記表示制御部は、上記種別選択部によって上記基地局の種別が選択された場合、上記基地局特定部によって特定された基地局のうち、選択された上記基地局の種別に対応する上記基地局のみを上記地図上に表示させてよい。上記表示制御装置は、上記識別情報によって識別される上記緊急速報メールを配信すべき地域を特定する地域特定部をさらに備えてよく、上記表示制御部は、上記地域特定部によって特定された地域を、上記地域特定部によって特定されていない地域と識別して表示させてよい。
【０００７】
本発明の第２の態様によれば、コンピュータを、上記表示制御装置として機能させるためのプログラムが提供される。
【０００８】
なお、上記の発明の概要は、本発明の必要な特徴の全てを列挙したものではない。また、これらの特徴群のサブコンビネーションもまた、発明となりうる。
【図面の簡単な説明】
【０００９】
【図１】管理システム１０の一例を概略的に示す。
【図２】表示制御装置１００による表示例４００を概略的に示す。
【図３】表示制御装置１００による表示例４００を概略的に示す。
【図４】メニュー領域４０２に含まれる情報の一例を概略的に示す。
【図５】システム設定値４５１の一例を概略的に示す。
【図６】サマリ情報４８０の一例を概略的に示す。
【図７】表示制御装置１００の機能構成の一例を概略的に示す。
【図８】表示制御装置１００として機能するコンピュータ１０００のハードウエア構成の一例を示す。
【発明を実施するための形態】
【００１０】
以下、発明の実施の形態を通じて本発明を説明するが、以下の実施形態は特許請求の範囲にかかる発明を限定するものではない。また、実施形態の中で説明されている特徴の組み合わせの全てが発明の解決手段に必須であるとは限らない。
【００１１】
図１は、管理システム１０の一例を概略的に示す。本実施形態に係る管理システム１０は、ＣＢＥ（Ｃｅｌｌ  Ｂｒｏａｄｃａｓｔ  Ｅｎｔｉｔｙ）２０から受信した情報に基づいて、携帯電話等の無線通信端末に緊急速報メールを配信し、配信結果を管理する。
【００１２】
ＣＢＥ２０は、気象庁、気象業務支援センター、及び自治体等によって管理されるシステムである。ＣＢＥ２０が管理システム１０に対して配信する配信情報は、緊急地震速報、津波警報、及び災害・避難情報等である。配信情報には、メッセージ及び配信先地域の情報が含まれる。配信先地域は、全国を任意の区分に分割した地域であってよく、例えば、都道府県及び市区町村もしくは、気象庁による区分され指定される予報区等である。また、配信情報には、各配信を識別する配信ＩＤ、配信時刻、及び配信者が含まれてよい。
【００１３】
管理システム１０は、メール管理装置３０、ＲＮＣ（Ｒａｄｉｏ  Ｎｅｔｗｏｒｋ  Ｃｏｎｔｒｏｌｌｅｒ）４０、ＢＴＳ（Ｂａｓｅ  Ｔｒａｎｓｃｅｉｖｅｒ  Ｓｔａｔｉｏｎ）５０、ＭＭＥ（Ｍｏｂｉｌｉｔｙ  Ｍａｎａｇｅｍｅｎｔ  Ｅｎｔｉｔｙ）７０、ｅＮＢ（ｅＮｏｄｅＢ）８０、表示制御装置１００、情報収集装置２００、及び基地局ＤＢ３００を含む。メール管理装置３０は、ＣＢＥ２０によって配信された配信情報を受信し、配信情報に含まれるメッセージを、配信情報に含まれる配信先地域に配信すべく、当該メッセージを含む緊急速報メールを当該配信先地域に対応するＲＮＣ４０及びＢＴＳ５０と、ＭＭＥ７０及びｅＮＢ８０とに送信させる。
【００１４】
ＲＮＣ４０は、メール管理装置３０の指示に従って、緊急速報メールを配信する指示をＢＴＳ５０に送信する。ＢＴＳ５０は、ＲＮＣ４０の指示に従って、自らが生成する１又は複数のセル６０に対して緊急速報メールを同報配信する。
【００１５】
本実施形態において、セル６０とは、ＢＴＳ５０によって生成される通信エリアであり、一のＢＴＳ５０が複数のセル６０を生成する場合、複数のセル６０同士は、その方向が異なったり、周波数が異なったりする。配信処理が終了した後、ＲＮＣ４０は、ＢＴＳ５０の１又は複数のセル６０毎の、配信が成功したか否かを示す配信結果をメール管理装置３０に送信する。
【００１６】
ＭＭＥ７０は、メール管理装置３０の指示に従って、緊急速報メールを配信する指示をｅＮＢ８０に送信する。ｅＮＢ８０は、ＭＭＥ７０の指示に従って、自らが生成する１又は複数のセル９０に対して緊急速報メールを同報配信する。
【００１７】
本実施形態において、セル９０とは、ｅＮＢ８０によって生成される通信エリアであり、一のｅＮＢ８０が複数のセル９０を生成する場合、複数のセル９０同士は、その方向が異なったり、周波数が異なったりする。
【００１８】
本実施形態において、セル６０とセル９０とをまとめてセルと記載する場合がある。また、ＢＴＳ５０とｅＮＢ８０とをまとめて基地局と記載する場合がある。
【００１９】
情報収集装置２００は、ＭＭＥ７０から、ｅＮＢ８０の１又は複数のセル９０毎の、配信が成功したか否かを示す配信結果を収集する。情報収集装置２００は、収集した配信結果をメール管理装置３０及び表示制御装置１００に送信する。このように、本実施形態に係る管理システム１０によれば、情報収集装置２００を配置することによって、ＭＭＥ７０及びｅＮＢ８０による緊急速報メールの配信結果を、メール管理装置３０及び表示制御装置１００に取得させることができる。
【００２０】
メール管理装置３０は、ＲＮＣ４０、ＭＭＥ７０及び情報収集装置２００から受信した配信結果を含む配信履歴を格納する。配信履歴は、複数の緊急速報メール毎に、緊急速報メールを識別するメール識別情報、配信時刻、配信者、配信地域、及び配信メッセージと、緊急速報メールを配信すべき基地局を識別する基地局識別情報と、複数のセル毎に、緊急速報メールが配信されたセルを一意に識別するセル識別情報、当該セルを生成する基地局を管理するＲＮＣ４０又はＭＭＥ７０を識別する情報、ＲＮＣ４０又はＭＭＥ７０においてセルを一意に識別する情報、セルを管理する通信キャリアを識別する情報、緊急速報メールの配信が成功したか否かを示す情報、緊急速報メールの配信に失敗した理由を示す情報、及びセルを生成する基地局の位置情報とを含んでよい。
【００２１】
セル識別情報は、例えば、ＳＡＩ（Ｓｅｒｖｉｃｅ  Ａｒｅａ  Ｉｄｅｎｔｉｆｉｅｒ）である。緊急速報メールの配信に失敗した理由を示す情報は、例えば、３ＧＰＰ（３ｒｄ  Ｇｅｎｅｒａｔｉｏｎ  Ｐａｒｔｎｅｒｓｈｉｐ  Ｐｒｏｊｅｃｔ）において規定されているＣａｕｓｅ値である。基地局の位置情報は、基地局の緯度及び経度を含んでよい。メール管理装置３０は、ＣＢＣ（Ｃｅｌｌ  Ｂｒｏａｄｃａｓｔ  Ｃｅｎｔｅｒ）、及びＣＢＳ（Ｃｅｌｌ  Ｂｒｏａｄｃａｓｔ  Ｓｅｒｖｉｃｅ）、ＥＴＷＳ（Ｅａｒｔｈｑｕａｋｅ  ａｎｄ  Ｔｓｕｎａｍｉ  Ｗａｒｎｉｎｇ  Ｓｙｓｔｅｍ）等であってよい。
【００２２】
表示制御装置１００は、メール管理装置３０及び情報収集装置２００に格納されている配信履歴を受信して、当該配信履歴に基づく表示を制御する。表示制御装置１００は、表示制御装置１００が備えるディスプレイに各種情報を表示させてよい。また、表示制御装置１００は、他の装置が備えるディスプレイに各種情報を表示させてよい。表示制御装置１００は、例えば、インターネット及び電話網等のネットワークを介して、他の装置が備えるディスプレイに各種情報を表示させる。
【００２３】
表示制御装置１００は、例えば、緊急速報メールの配信が成功した基地局と、緊急速報メールの配信が失敗した基地局とを異なる表示形式で地図上に表示させる。表示制御装置１００は、地図上における、基地局の位置情報が示す位置に、基地局を表すオブジェクトを配置して表示させてよい。これにより、緊急速報メールの配信に失敗した基地局がある地域に集中していること、及びある地域に配置された基地局のうち１つだけが配信に失敗していること等を、表示を閲覧している者に容易に把握させることができる。
【００２４】
基地局ＤＢ（Ｄａｔａｂａｓｅ）３００は、基地局の情報を格納する。基地局ＤＢ３００は、例えば、各基地局が固定基地局であるか、移動基地局であるかを示す情報を格納する。また、基地局ＤＢ３００は、例えば、各基地局に設置されている設備のベンダ情報及び各基地局が使用する周波数帯域情報等を格納する。表示制御装置１００は、基地局ＤＢ３００に格納されている基地局の情報を受信して、表示に反映してよい。例えば、表示制御装置１００は、緊急速報メールの配信が成功した基地局と、緊急速報メールの配信が失敗した基地局とを異なる表示形式で地図上に表示させるとともに、各基地局が、固定基地局であるか、移動基地局であるかを表示させる。これにより、例えば、緊急速報メールの配信が失敗した基地局が、現在稼働していない移動基地局であって、配信失敗となっていても実質的に問題ないことを、表示を閲覧している者に把握させることができる。
【００２５】
図２は、表示制御装置１００による表示例４００を概略的に示す。表示例４００は、メニュー領域４０２及び地図領域４０４を含む。
【００２６】
メニュー領域４０２は、配信履歴のメニュー項目４０８、配信情報のメニュー項目４１０、キャリア情報のメニュー項目４２０、基地局情報のメニュー項目４３０、セル情報のメニュー項目４４０、及びシステム設定値のメニュー項目４５０を含む。
【００２７】
表示制御装置１００は、例えば、配信履歴のメニュー項目４０８が選択された場合、メール識別情報を指定するためのメニューを表示させる。当該メニューは、複数のメール識別情報から１又は複数のメール識別情報を指定可能であればどのような形態であってもよい。例えば、当該メニューは、複数のメール識別情報のリストを含む。また、当該メニューは、メール識別情報を検索する検索条件を入力可能な入力欄を含み、表示制御装置１００は、入力欄に入力された検索条件に従って検索した複数のメール識別情報を指定可能に表示させてよい。
【００２８】
表示制御装置１００は、メール識別情報が指定された後、配信情報のメニュー項目４１０が選択された場合、指定されたメール識別情報によって識別される緊急速報メールの情報を表示させる。配信情報４１２は、緊急速報メールの情報の一例である。図２に示す例では、配信情報４１２には、メール識別情報、配信ＩＤ、配信時刻、配信者、配信地域、及び配信メッセージが含まれる。
【００２９】
地図領域４０４は、表示領域の一例である。地図領域４０４は、地図４６２、オブジェクト４６４、及び拡大縮小ボタン４６６を含む。オブジェクト４６４は、基地局を表す。表示制御装置１００は、複数の基地局のそれぞれを表すオブジェクト４６４を、地図４６２における、複数の基地局のそれぞれの位置情報が示す位置に配置して表示させてよい。
【００３０】
表示制御装置１００は、基地局が生成する１又は複数のセルのうちすべてのセルについて配信が成功した基地局と、１又は複数のセルのうち少なくとも１つのセルについて配信が失敗した基地局とを異なる形式のオブジェクト４６４で表示させてよい。また、表示制御装置１００は、基地局が生成する１又は複数のセルのうちすべてのセルについて配信が成功した基地局と、１又は複数のセルのうちすべてのセルについて配信が失敗した基地局と、１又は複数のセルのうち一部のセルについて配信が失敗した基地局とを異なる形式のオブジェクト４６４で表示させてよい。
【００３１】
異なる形式のオブジェクトとは、例えば、色、模様、及び形状の少なくともいずれかが異なるオブジェクトである。図２は、１又は複数のセルのうちすべてのセルについて配信が成功した基地局として白丸のオブジェクト４６４、１又は複数のセルのうちすべてのセルについて配信が失敗した基地局として黒丸のオブジェクト４６４、１又は複数のセルの内一部のセルについて配信が失敗した基地局として斜線のハッチングが施された丸のオブジェクト４６４を表示した場合を例示する。
【００３２】
拡大縮小ボタン４６６は、地図４６２に対する拡大、縮小指示を受け付ける。表示制御装置１００は、拡大縮小ボタン４６６に対する指示に従って、地図４６２を拡大表示又は縮小表示させてよい。表示制御装置１００は、表示制御装置１００に具備される図示されないマウスのホイールを用いた拡大縮小処理、及びキーボードを用いた拡大縮小処理等、周知の拡大縮小処理に従って、地図４６２を拡大表示又は縮小表示させてもよい。
【００３３】
図３は、表示制御装置１００による表示例４００を概略的に示す。図３は、選択されたメール識別情報によって識別される緊急速報メールを配信すべき地域と、当該緊急速報メールを配信しない地域とを識別して表示し、かつ、一のオブジェクト４６４が選択されたことに応じて、選択されたオブジェクト４６４が表す基地局の基地局配信情報４７０を表示している場合の表示例を示す。
【００３４】
表示制御装置１００は、緊急速報メールを配信すべき地域を、予め設定された手法に従って、当該緊急速報メールを配信しない地域と識別して表示させてよい。例えば、表示制御装置１００は、予め設定された色によって、緊急速報メールを配信すべき地域を色付けする。なお、図３に示す例では、緊急速報メールを配信すべき地域の外側にもオブジェクト４６４が配置されているが、本実施形態では、地域の境界から予め定められた距離以内を配信対象とする場合を例示しているためである。
【００３５】
基地局配信情報４７０は、基地局情報４７２及び配信結果４７４を含む。基地局情報４７２は、基地局を管理する通信キャリア、基地局の座標、及び基地局による配信結果のサマリを含んでよい。図３では、選択されたオブジェクト４６４を表す基地局の３つのセルのうち、２つのセルが配信に成功し、１つのセルが配信に失敗した場合の配信サマリを例示している。
【００３６】
配信結果４７４は、選択されたオブジェクト４６４が表す基地局の各セルの情報、配信結果、及び理由値を含んでよい。図３では、配信結果４７４が、ＳＡＩ、選択されたオブジェクト４６４が表す基地局を管理するＲＮＣ４０を識別するＲＮＣ  ＩＤ、当該ＲＮＣ４０においてセルを一意に識別するＣｅｌｌ  ＩＤ、配信が成功したか否かを示すＳｔａｔｅ、及び理由値を示すＣａｕｓｅを含む場合を例示している。
【００３７】
図４は、メニュー領域４０２に含まれる情報の一例を概略的に示す。図４は、メニュー項目４２０、メニュー項目４３０、及びメニュー項目４４０が選択されたことに応じて、キャリア情報４２２、基地局情報４３２、及びセル情報４４２が表示されている例を示す。
【００３８】
キャリア情報４２２は、複数の通信キャリアのそれぞれについて、通信キャリアが管理する基地局のうち、選択されたメール識別情報によって識別される緊急速報メールを配信すべき基地局の数を示す配信数と、地図領域４０４にオブジェクト４６４が表示されている基地局の数を示す表示数とを含む。例えば、配信エリア全体が地図領域４０４に表示されている場合、配信数と表示数とは一致し、地図４６２が拡大表示されることによって、配信エリアの一部が地図領域４０４に表示されている場合、表示数が配信数よりも少なくなる。
【００３９】
ここでは、選択されたメール識別情報によって識別される緊急速報メールを配信すべき基地局の総数が４９９局であり、そのうち、キャリアＡによって管理される基地局の数が３８１局、キャリアＢによって管理される基地局の数が１１８局である場合を例示している。また、４９９局中、８３局が表示されており、そのうち、キャリアＡによって管理される基地局の数が６６局、キャリアＢによって管理される基地局の数が１７局である場合を例示している。
【００４０】
チェックボックス４２４は、複数の通信キャリアのうち、管理する基地局を表示対象とするか否かを指定するために使用されてよい。表示制御装置１００は、複数の通信キャリアのうち、チェックボックス４２４にチェックされている通信キャリアが管理する基地局のみを表示対象としてよい。
【００４１】
基地局情報４３２は、すべてのセルについて配信が成功した基地局、すべてのセルについて配信が失敗した基地局、及び一部のセルについて配信が失敗した基地局毎の、配信数及び表示数を含む。ＯＫは、すべてのセルについて配信が成功した基地局を表し、ＮＧは、すべてのセルについて配信が失敗した基地局を表し、混在は、一部のセルについて配信が失敗した基地局を表す。
【００４２】
ここでは、選択されたメール識別情報によって識別される緊急速報メールを配信すべき基地局の総数が４９９局であり、そのうち、すべてのセルについて配信が成功した基地局の数が４６３局、すべてのセルについて配信が失敗した基地局の数が２５局、一部のセルについて配信が失敗した基地局の数が１１局である場合を例示している。また、４９９局中、８３局が表示されており、そのうち、すべてのセルについて配信が成功した基地局の数が８１局、すべてのセルについて配信が失敗した基地局の数が１局、一部のセルについて配信が失敗した基地局の数が１局である場合を例示している。
【００４３】
チェックボックス４３４は、ＯＫ、ＮＧ、混在のそれぞれの基地局を表示対象とするか否かを指定するために使用されてよい。表示制御装置１００は、ＯＫ、ＮＧ、混在のうち、チェックされているものに対応する基地局のみを表示対象としてよい。
【００４４】
基地局情報４３２は、基地局配信成功率を含んでよい。基地局配信成功率は、すべてのセルについて配信が成功した基地局の配信数を、配信数の合計で除算した値であってよい。
【００４５】
セル情報４４２は、選択されたメール識別情報によって識別される緊急速報メールを配信すべきセルの総数（ＡＬＬ）、配信が成功したセルの数（ＯＫ）、及び、複数の理由値毎の、配信が失敗したセルの数を含む。
【００４６】
ここでは、セルの総数が１４９４、配信が成功したセルの数が１４２２であり、配信が失敗したセルの数が７２であって、理由値が３であるセルの数が３、理由値が９であるセルの数が６９である場合を例示している。理由値の０から１７は、３ＧＰＰによって規定されているＣａｕｓｅ値の０から１７に対応する。
【００４７】
チェックボックス４４４は、理由値毎に、セルに対応する基地局を表示対象とするか否かを指定するために使用されてよい。表示制御装置１００は、チェックされている理由値が示す理由によって配信に失敗したセルを生成する基地局のみを表示対象としてよい。
【００４８】
セル情報４４２は、セル配信成功率を含んでよい。セル配信成功率は、配信が成功したセルの数を、セルの総数で除算した値であってよい。
【００４９】
図５は、メニュー領域４０２に含まれる情報の一例を概略的に示す。図５は、メニュー項目４５０が選択されたことに応じて、システム設定値４５１が表示されている例を示す。システム設定値４５１は、ズーム値領域４５２、最大表示基地局数領域４５５、及び配信地域カラー領域４５８を含む。
【００５０】
ズーム値領域４５２は、地図４６２のズームレベルを示すズーム値を含むズーム値欄４５３と、ズームレベルを変更するスライドバー４５４とを含む。表示制御装置１００は、ズーム値欄４５３に入力されたズーム値又はスライドバー４５４によって変更されたズーム値に従って、地図４６２を拡大表示又は縮小表示させてよい。
【００５１】
最大表示基地局数領域４５５は、地図領域４０４に表示するオブジェクト４６４の上限数を示す最大表示基地局数を含む基地局数欄４５６と、最大表示基地局数を変更するスライドバー４５７とを含む。表示制御装置１００は、基地局数欄４５６に入力された最大表示基地局数又はスライドバー４５７によって変更された最大表示基地局数に従って、表示を制御してよい。最大表示基地局数は、予め定められた数の一例であってよい。
【００５２】
表示制御装置１００は、例えば、地図４６２が縮小されることによって表示対象の基地局の数が増加し、表示対象の基地局の数が最大表示基地局数より大きくなった場合、オブジェクト４６４に表示はさせずに、表示対象の基地局のうち、すべてのセルについて配信が成功した基地局の数と、すべてのセルについて配信が失敗した基地局の数と、一部のセルについて配信が失敗した基地局の数とを含むサマリ情報を表示させてよい。また、表示制御装置１００は、サマリ情報を表示させた後、地図４６２が拡大されることによって表示対象の基地局の数が減少し、表示対象の基地局の数が最大表示基地局数より小さくなった場合、サマリ情報の表示を解除して、オブジェクト４６４を表示させてよい。
【００５３】
例えば、表示制御装置１００が他の装置の表示を制御している場合に、当該他の装置の性能によって、表示対象のオブジェクト４６４を全て表示することが過負荷になってしまう場合がある。それに対して、本実施形態に係る表示制御装置１００によれば、表示対象の基地局の数が最大表示基地局数より大きくなった場合に、オブジェクト４６４に代えてサマリ情報を表示させるので、他の装置が過負荷になってしまうことを防止しつつ、配信結果の概要を表示させることができる。
【００５４】
配信地域カラー領域４５８は、カラー欄４５９を含む。カラー欄４５９は、複数の色の中から一の色を選択するために使用されてよい。表示制御装置１００は、カラー欄４５９において選択された色を、配信対象の地域に色付けしてよい。
【００５５】
図６は、サマリ情報４８０の一例を概略的に示す。図６は、サマリ情報４８０が、最大表示基地局数の設定値と、表示対象の基地局数と、表示対象の基地局のうち、通信キャリア毎の、すべてのセルについて配信が成功した基地局の数、すべてのセルについて配信が失敗した基地局の数、及び一部のセルについて配信が失敗した基地局の数を含む場合を例示している。
【００５６】
表示制御装置１００は、複数の地域が配信対象となっている場合、すべての地域をまとめたサマリ情報４８０を表示させてよい。また、表示制御装置１００は、複数の地域が配信対象となっている場合、各地域毎にサマリ情報４８０を表示させてもよい。
【００５７】
図７は、表示制御装置１００の機能構成の一例を概略的に示す。表示制御装置１００は、配信履歴受信部１０２、配信履歴格納部１０４、識別情報選択部１０６、基地局特定部１０８、配信結果取得部１１０、表示制御部１１２、位置情報取得部１１４、理由値選択部１１６、種別選択部１１８、及び地域特定部１２０を備える。なお、表示制御装置１００がこれらのすべての構成を備えることは必須とは限らない。
【００５８】
配信履歴受信部１０２は、メール管理装置３０及び情報収集装置２００から配信履歴を受信する。配信履歴受信部１０２は、例えば、表示制御装置１００の使用者の指示に従って、メール管理装置３０から配信履歴を受信する。配信履歴受信部１０２は、定期的にメール管理装置３０及び情報収集装置２００から配信履歴を受信してもよい。配信履歴格納部１０４は、配信履歴受信部１０２が受信した配信履歴を格納する。
【００５９】
識別情報選択部１０６は、メール識別情報を選択する。識別情報選択部１０６は、例えば、配信履歴のメニュー項目４０８が選択されたことに応じて表示させたメニューに含まれる複数のメール識別情報のうちから、表示制御装置１００の使用者によって指定されたメール識別情報を選択する。
【００６０】
基地局特定部１０８は、識別情報選択部１０６によって選択されたメール識別情報によって識別される緊急速報メールを配信すべき基地局を特定する。基地局特定部１０８は、例えば、配信履歴格納部１０４に格納されている配信履歴を参照することによって、メール識別情報によって識別される緊急速報メールを配信すべき基地局を特定する。
【００６１】
配信結果取得部１１０は、基地局特定部１０８によって特定された基地局による緊急速報メールの配信結果を取得する。配信結果取得部１１０は、配信履歴を参照して、基地局特定部１０８によって特定された基地局のそれぞれについて、１又は複数のセルのすべてのセルについて配信が成功したか、少なくとも一部のセルについて配信が失敗したかを判定してよい。また、配信結果取得部１１０は、配信履歴を参照して、基地局特定部１０８によって特定された基地局のそれぞれについて、１又は複数のセルのすべてのセルについて配信が成功したか、すべてのセルについて配信が失敗したか、一部のセルについて配信が失敗したかを判定してもよい。
【００６２】
表示制御部１１２は、基地局特定部１０８によって特定された基地局のうち、緊急速報メールの配信が成功した基地局と、緊急速報メールの配信が失敗した基地局とを異なる表示形式で地図上に表示させてよい。表示制御部１１２は、基地局のすべてのセルについて配信が成功した基地局と、基地局の少なくとも一部のセルについて配信が失敗した基地局とを異なる表示形式で地図上に表示させてよい。表示制御部１１２は、基地局特定部１０８によって特定された基地局のうち、すべてのセルについて配信が成功した基地局と、すべてのセルについて配信が失敗した基地局と、一部のセルについて配信が失敗した基地局とを異なる表示形式で地図上に表示させてよい。
【００６３】
位置情報取得部１１４は、配信履歴格納部１０４に格納されている配信履歴から、基地局特定部１０８によって特定された基地局の位置情報を取得する。表示制御部１１２は、基地局を表すオブジェクト４６４を、地図上における基地局の位置情報が示す位置に配置して表示させてよい。表示制御部１１２は、地図４６２が拡大又は縮小された場合に、基地局特定部１０８によって特定された基地局のうち、地図４６２の地図領域４０４に表示されている範囲内に位置する基地局を表すオブジェクト４６４を、地図４６２上に配置して表示させてよい。
【００６４】
表示制御部１１２は、基地局特定部１０８によって特定された基地局のうち、地図４６２の地図領域４０４内に表示されている範囲内に位置する基地局の数が、設定されている最大表示基地局数よりも少ない場合、基地局に対応するオブジェクト４６４を地図４６２上に配置して表示させ、最大表示基地局数よりも多い場合、オブジェクト４６４は表示させずに、サマリ情報４８０を表示させてよい。
【００６５】
理由値選択部１１６は、複数の理由値から少なくとも１つの理由値を選択する。理由値選択部１１６は、例えば、セル情報４４２に含まれる複数の理由値のうち、対応するチェックボックス４４４にチェックされている理由値を選択する。表示制御部１１２は、理由値選択部１１６によって少なくとも１つの理由値が選択された場合、基地局特定部１０８によって特定された基地局のうち、理由値選択部１１６によって選択された理由値が示す理由によって、少なくとも一部のセルについて配信が失敗した基地局のオブジェクト４６４のみを表示させてよい。
【００６６】
種別選択部１１８は、基地局の種別を選択する。表示制御部１１２は、種別選択部１１８によって基地局の種別が選択された場合、基地局特定部１０８によって特定された基地局のうち、選択された基地局の種別に対応する基地局のみのオブジェクト４６４を表示させてよい。
【００６７】
種別選択部１１８は、基地局の種別として、基地局を管理する通信キャリアを選択してよい。種別選択部１１８は、例えば、キャリア情報４２２に含まれる複数の通信キャリアのうち、対応するチェックボックス４２４がチェックされている通信キャリアを選択する。表示制御部１１２は、種別選択部１１８によって通信キャリアが選択された場合、基地局特定部１０８によって特定された基地局のうち、種別選択部１１８によって選択された通信キャリアが管理する基地局のみのオブジェクト４６４を表示させてよい。種別選択部１１８は、基地局の種別として、基地局が固定基地局であるか移動基地局であるかを選択してもよい。また、種別選択部１１８は、基地局の種別として、基地局が使用する周波数帯域を選択してもよい。また、種別選択部１１８は、基地局の種別として、基地局の設備のベンダを選択してもよい。
【００６８】
地域特定部１２０は、識別情報選択部１０６によって選択されたメール識別情報によって識別される緊急速報メールを配信すべき地域を特定する。地域特定部１２０は、識別情報選択部１０６によって選択されたメール識別情報によって識別される緊急速報メールに対応する配信履歴を参照することによって地域を特定してよい。表示制御部１１２は、地域特定部１２０によって特定された地域を、地域特定部１２０によって特定されていない地域と識別して表示させてよい。表示制御部１１２は、例えば、配信地域カラー領域４５８において設定された色を、地域特定部１２０によって特定された地域に色付けしてよい。
【００６９】
図８は、表示制御装置１００として機能するコンピュータ１０００のハードウエア構成の一例を示す。本実施形態に係るコンピュータ１０００は、ホストコントローラ１０９２により相互に接続されるＣＰＵ１０１０、ＲＡＭ１０３０、及びグラフィックコントローラ１０８５を有するＣＰＵ周辺部と、入出力コントローラ１０９４によりホストコントローラ１０９２に接続される通信Ｉ／Ｆ１０４０、ハードディスクドライブ１０５０、及びＤＶＤドライブ１０７０を有する入出力部と、入出力コントローラ１０９４に接続されるＲＯＭ１０２０、ＦＤドライブ１０６０、及び入出力チップ１０８０を有するレガシー入出力部とを備える。
【００７０】
ＣＰＵ１０１０は、ＲＯＭ１０２０及びＲＡＭ１０３０に格納されたプログラムに基づいて動作し、各部の制御を行う。グラフィックコントローラ１０８５は、ＣＰＵ１０１０などがＲＡＭ１０３０内に設けたフレーム・バッファ上に生成する画像データを取得し、ディスプレイ１０９０上に表示させる。これに代えて、グラフィックコントローラ１０８５は、ＣＰＵ１０１０などが生成する画像データを格納するフレーム・バッファを、内部に含んでもよい。
【００７１】
通信Ｉ／Ｆ１０４０は、有線又は無線によりネットワークを介して他の装置と通信する。また、通信Ｉ／Ｆ１０４０は、通信を行うハードウエアとして機能する。ハードディスクドライブ１０５０は、ＣＰＵ１０１０が使用するプログラム及びデータを格納する。ＤＶＤドライブ１０７０は、ＤＶＤ−ＲＯＭ１０７２からプログラム又はデータを読み取り、ＲＡＭ１０３０を介してハードディスクドライブ１０５０に提供する。
【００７２】
ＲＯＭ１０２０は、コンピュータ１０００が起動時に実行するブート・プログラム、及びコンピュータ１０００のハードウエアに依存するプログラムなどを格納する。ＦＤドライブ１０６０は、フレキシブルディスク１０６２からプログラム又はデータを読み取り、ＲＡＭ１０３０を介してハードディスクドライブ１０５０に提供する。入出力チップ１０８０は、ＦＤドライブ１０６０を入出力コントローラ１０９４へと接続するとともに、例えばパラレル・ポート、シリアル・ポート、キーボード・ポート、マウス・ポートなどを介して各種の入出力装置を入出力コントローラ１０９４へと接続する。
【００７３】
ＲＡＭ１０３０を介してハードディスクドライブ１０５０に提供されるプログラムは、フレキシブルディスク１０６２、ＤＶＤ−ＲＯＭ１０７２、又はＩＣカードなどの記録媒体に格納されて利用者によって提供される。プログラムは、記録媒体から読み出され、ＲＡＭ１０３０を介してハードディスクドライブ１０５０にインストールされ、ＣＰＵ１０１０において実行される。
【００７４】
コンピュータ１０００にインストールされ、コンピュータ１０００を表示制御装置１００として機能させるプログラムは、ＣＰＵ１０１０などに働きかけて、コンピュータ１０００を、表示制御装置１００の各部としてそれぞれ機能させてよい。これらのプログラムに記述された情報処理は、コンピュータ１０００に読込まれることにより、ソフトウエアと上述した各種のハードウエア資源とが協働した具体的手段である配信履歴受信部１０２、配信履歴格納部１０４、識別情報選択部１０６、基地局特定部１０８、配信結果取得部１１０、表示制御部１１２、位置情報取得部１１４、理由値選択部１１６、種別選択部１１８、及び地域特定部１２０として機能する。そして、これらの具体的手段によって、本実施形態におけるコンピュータ１０００の使用目的に応じた情報の演算又は加工を実現することにより、使用目的に応じた特有の表示制御装置１００が構築される。
【００７５】
以上、本発明を実施の形態を用いて説明したが、本発明の技術的範囲は上記実施の形態に記載の範囲には限定されない。上記実施の形態に、多様な変更または改良を加えることが可能であることが当業者に明らかである。その様な変更または改良を加えた形態も本発明の技術的範囲に含まれ得ることが、特許請求の範囲の記載から明らかである。
【００７６】
特許請求の範囲、明細書、および図面中において示した装置、システム、プログラム、および方法における動作、手順、ステップ、および段階などの各処理の実行順序は、特段「より前に」、「先立って」などと明示しておらず、また、前の処理の出力を後の処理で用いるのでない限り、任意の順序で実現しうることに留意すべきである。特許請求の範囲、明細書、および図面中の動作フローに関して、便宜上「まず、」、「次に、」などを用いて説明したとしても、この順で実施することが必須であることを意味するものではない。
【符号の説明】
【００７７】
１０  管理システム、２０  ＣＢＥ、３０  メール管理装置、４０  ＲＮＣ、５０  ＢＴＳ、６０  セル、７０  ＭＭＥ、８０  ｅＮＢ、９０  セル、１００  表示制御装置、１０２  配信履歴受信部、１０４  配信履歴格納部、１０６  識別情報選択部、１０８  基地局特定部、１１０  配信結果取得部、１１２  表示制御部、１１４  位置情報取得部、１１６  理由値選択部、１１８  種別選択部、１２０  地域特定部、２００  情報収集装置、３００  基地局ＤＢ、４００  表示例、４０２  メニュー領域、４０４  地図領域、４１０  メニュー項目、４１２  配信情報、４２０  メニュー項目、４２２  キャリア情報、４２４  チェックボックス、４３０  メニュー項目、４３２  基地局情報、４３４  チェックボックス、４４０  メニュー項目、４４２  セル情報、４４４  チェックボックス、４５０  メニュー項目、４５１  システム設定値、４５２  ズーム値領域、４５３  ズーム値欄、４５４  スライドバー、４５５  最大表示基地局数領域、４５６  基地局数欄、４５７  スライドバー、４５８  配信地域カラー領域、４５９  カラー欄、４６２  地図、４６４  オブジェクト、４６６  拡大縮小ボタン、４７０  基地局配信情報、４７２  基地局情報、４７４  配信結果、４８０  サマリ情報、１０００  コンピュータ、１０１０  ＣＰＵ、１０２０  ＲＯＭ、１０３０  ＲＡＭ、１０４０  通信Ｉ／Ｆ、１０５０  ハードディスクドライブ、１０６０  ＦＤドライブ、１０６２  フレキシブルディスク、１０７０  ＤＶＤドライブ、１０７２  ＤＶＤ−ＲＯＭ、１０８０  入出力チップ、１０８５  グラフィックコントローラ、１０９０  ディスプレイ、１０９２  ホストコントローラ、１０９４  入出力コントローラ
【図１】
2017152802.tif 000003
【図２】
2017152802.tif 000004
【図３】
2017152802.tif 000005
【図４】
2017152802.tif 000006
【図５】
2017152802.tif 000007
【図６】
2017152802.tif 000008
【図７】
2017152802.tif 000009
【図８】
2017152802.tif 000010
【手続補正書】
【提出日】平成29年5月31日(2017.5.31)
【手続補正１】
【補正対象書類名】特許請求の範囲
【補正対象項目名】全文
【補正方法】変更
【補正の内容】
【特許請求の範囲】
【請求項１】
緊急速報メールを識別する識別情報を選択する識別情報選択部と、
前記識別情報によって識別される緊急速報メールを配信すべき基地局を特定する基地局特定部と、
前記基地局特定部によって特定された基地局による前記緊急速報メールの配信結果を取得する配信結果取得部と、
前記緊急速報メールの配信が成功した基地局と、前記緊急速報メールの配信が失敗した基地局とを異なる表示形式で地図上に表示させる表示制御部と、
基地局の種別を選択する種別選択部と
を備え、
前記表示制御部は、前記種別選択部によって前記基地局の種別が選択された場合、前記基地局特定部によって特定された基地局のうち、選択された前記基地局の種別に対応する前記基地局のみを前記地図上に表示させる、表示制御装置。
【請求項２】
前記種別選択部は、前記基地局の種別として、前記基地局が固定基地局であるか移動基地局であるかを選択する、請求項１に記載の表示制御装置。
【請求項３】
前記種別選択部は、前記基地局の種別として、前記基地局を管理する通信キャリアを選択する、請求項１に記載の表示制御装置。
【請求項４】
前記種別選択部は、前記基地局の種別として、前記基地局が使用する周波数帯域を選択する、請求項１に記載の表示制御装置。
【請求項５】
前記種別選択部は、前記基地局の種別として、前記基地局の設備のベンダを選択する、請求項１に記載の表示制御装置。
【請求項６】
前記表示制御部は、前記基地局が生成する１又は複数のセルのうちすべてのセルについて配信が成功した基地局と、前記１又は複数のセルのうちすべてのセルについて配信が失敗した基地局と、前記１又は複数のセルのうち一部のセルについて配信が失敗した基地局とを異なる表示形式で前記地図上に表示させる、請求項１から５のいずれか一項に記載の表示制御装置。
【請求項７】
前記基地局特定部によって特定された基地局の位置情報を取得する位置情報取得部
をさらに備え、
前記表示制御部は、前記基地局を表すオブジェクトを、前記地図上における前記基地局の前記位置情報が示す位置に配置して表示させる、請求項１から６のいずれか一項に記載の表示制御装置。
【請求項８】
前記表示制御部は、表示領域内に前記地図を拡大及び縮小可能に表示させ、
前記表示制御部は、前記地図の前記表示領域内に表示されている範囲内に位置する前記基地局を表すオブジェクトを前記地図上に配置して表示させる、請求項７に記載の表示制御装置。
【請求項９】
前記表示制御部は、前記基地局特定部によって特定された前記基地局のうち、前記地図の前記表示領域内に表示されている範囲内に位置する前記基地局の数が予め定められた数よりも多い場合、前記オブジェクトは表示させずに、前記地図の前記表示領域に表示されている範囲内に位置する前記基地局のうち、前記緊急速報メールの配信が成功した基地局の数と、前記緊急速報メールの配信が失敗した基地局の数とを表示させる、請求項８に記載の表示制御装置。
【請求項１０】
前記配信結果取得部は、前記緊急速報メールの配信が失敗した理由を示す理由値を取得し、
前記表示制御装置は、
複数の種類の理由値から少なくとも１つの理由値を選択する理由値選択部
をさらに備え、
前記表示制御部は、前記理由値選択部によって少なくとも１つの理由値が選択された場合、前記基地局特定部によって特定された基地局のうち、前記理由値選択部によって選択された理由値が示す理由によって前記緊急速報メールの配信に失敗した基地局のみを前記地図上に表示させる、請求項１から９のいずれか一項に記載の表示制御装置。
【請求項１１】
前記識別情報によって識別される前記緊急速報メールを配信すべき地域を特定する地域特定部
をさらに備え、
前記表示制御部は、前記地域特定部によって特定された地域を、前記地域特定部によって特定されていない地域と識別して表示させる、請求項１から１０のいずれか一項に記載の表示制御装置。
【請求項１２】
コンピュータを、請求項１から１１のいずれか一項に記載の表示制御装置として機能させるためのプログラム。